(57)【要約】【課題】本発明は組込み式ガス調理器のコンロバーナの燃焼用空気供給に関するもので、組込まれるキッチンカウンターに燃焼用吸気口の工事を不要とすると同時に、良好な燃焼状態を維持できるガス調理器を提供することを課題とする。【解決手段】器具箱体６の上面全体を被うような天板１の一部に、天板下面側にあるノズル１０のガス供給口付近とコンロバーナ９の炎孔付近に新鮮空気の供給が可能なように、天板１の一部に天板開口部８を設け、前記天板開口部８は前記コンロバーナ９を配設する天板１の開口部とは異なる開口部とし、前記天板開口部８に天板上面側に突出したふた２を嵌合搭載し、前記ふた２の側面または上面に空気導入孔１５を設けた構成としたものである。【選択図】  図１
2004316972.tif 000002
【特許請求の範囲】
【請求項１】
器具箱体の上面全体を被うような天板と、その一部にコンロバーナと鍋等を載置する五徳と、前記コンロバーナの周囲に配設したシルウケ皿と、ガスコックを開閉する点・消火ツマミと、前記器具箱体内にガスを開閉するガスコックと、ガスを供給するノズルを備え、前記天板下面側にあるノズルのガス供給口付近とコンロバーナのバーナキャップ付近に空気の供給が可能なように、天板の一部に天板開口部を設け、前記天板開口部は前記コンロバーナを配設する天板の開口部とは異なる開口部とし、前記天板開口部に天板上面側に突出したふたを嵌合搭載し、前記ふたの側面または上面に空気導入孔を設けた組込み式ガス調理器。
【請求項２】
前記ふたの高さを、鍋等を載置する五徳と同一にし、五徳の上面と同一平面を構成するようにした請求項１記載の組込み式ガス調理器。
【請求項３】
前記ふたの空気導入孔を器具の後面側に設けた請求項１記載の組込み式ガス調理器。
【請求項４】
前記ふたを天板下面に突出させた請求項１記載の組込み式ガス調理器。
【請求項５】
前記ふたの空気導入孔より、器具箱体内でガスを供給するノズルの近辺まで空気を誘導するガイドケースを設けた請求項１〜４のいずれか１項記載の組込み式ガス調理器。
【請求項６】
前記ふたの空気導入孔より、器具箱体内でコンロバーナのバーナキャップ付近まで空気を誘導するガイドケースを設けた請求項１〜４のいずれか１項記載の組込み式ガス調理器。
【請求項７】
前記ふたは天板開口部とはゴムなどのシールパッキン材を介在させて勘合する構成とした請求項１〜４のいずれか１項記載の組込み式ガス調理器。
【請求項８】
前記ふたを載置する天板開口部の位置をコンロバーナのエアダンパー近傍にして、前記エアダンパー調整を前記天板開口部より作動させる構成とした請求項１〜４のいずれか１項記載の組込み式ガス調理器。
【発明の詳細な説明】
【０００１】
【発明の属する技術分野】
本発明は、ガス等を燃料とする組込み式ガス調理器のコンロバーナへの燃焼用空気の供給方法に関するものである。
【０００２】
【従来の技術】
従来この種の組込み式ガス調理器の燃焼に必要な空気の供給は、天板１より下に位置するガスコック１１、コンロバーナ９、ガスパイプ１９に取り付けられたガスを噴出するノズル１０、等を載置する器具箱体６の底面部や側面部に燃焼に必要な空気を供給する箱体底穴２１を設けて構成されている（特許文献１参照）。
【０００３】
この構成で、点消火ツマミ１４を操作しガスコック１１が開かれコンロバーナ９にノズル１０からガスが供給されるとノズル１０付近の空気がガスの流れ方向に沿って、同時にコンロバーナ９内に吸引される。バーナキャップ５に達したガスと空気の混合気に点火されると燃焼を継続し、燃焼に必要な空気は、前記、器具箱体６に設けられた箱体底穴２１から流入給気されて完全燃焼が継続し続けるというものであった。
【０００４】
また、コンロバーナ９の外径とシルウケ皿３の内径との間にはすきま２０を存在させて構成されている。
【０００５】
【特許文献１】
特開昭５３−１３０４７１号公報
【０００６】
【発明が解決しようとする課題】
しかしながら従来のこの種の組込み式ガス調理器では、キッチンのカウンター１６の庫内側に完全燃焼を行うための必要な空気を庫内の外側から取り入れるカウンター吸気口１７を設ける必要があり、器具メーカーの取扱説明書、工事説明書に空気とり入れ用の孔の工事を行うように記載している．しかしながらカウンター吸気口１７をあける工事がなされないまま、ガス調理器を使用される家庭が少なくなかった。そのため燃焼に必要な空気不足により不完全燃焼の原因や器具本体の温度が異常に高くなるという課題があった。
【０００７】
本発明は上記従来の課題を解決するもので、カウンター１６にカウンター吸気口１７がなく、且つ、器具箱体６の底面や側面にコンロバーナの燃焼に必要な箱体底穴２１がなくても、天板下面側にあるノズルのガス供給口付近とコンロバーナ９のバーナキャップ５付近にスムースに空気供給を可能とすることを目的とする。
【０００８】
【課題を解決するための手段】
上記の目的を達成するために、器具箱体の上面全体を被うような天板と、その一部にコンロバーナと鍋等を載置する五徳と、前記コンロバーナの周囲に配設したシルウケ皿と、ガスコックを開閉する点・消火ツマミと、前記器具箱体内にガスを開閉するガスコックと、ガスを供給するノズルを備え、前記天板下面側にあるノズルのガス供給口付近と、コンロバーナのバーナキャップ付近に空気の供給が可能なように天板の一部に天板開口部を設け、前記天板開口部は前記コンロバーナを配設する天板の開口部とは異なる開口部とし、前記天板開口部に天板上面側に突出したふたを嵌合搭載し、前記ふたの側面または上面に空気導入孔を設け、空気導入孔より、器具箱体内でガスを供給するノズルの近辺やコンロバーナのバーナキャップ付近まで空気を誘導するガイドケースを設けた構成とした。
【０００９】
さらに、ふたを載置する天板開口部の位置をコンロバーナのエアダンパー近傍にして、前記エアダンパー調整を前記天板開口部より作動させる構成とした。
【００１０】
上記の発明によれば、燃焼に必要な空気を天板の一部に空気供給口として設けているので、キッチンのカウンターの庫内側に完全燃焼を行うための必要な空気を庫内の外側から取り入れる吸気口を設ける必要がなく、吸気口をあける工事が不要でありながら、良好な燃焼状態が継続できる。
【００１１】
併せて、器具箱体の底面部に底穴がないので、コンロバーナで調理中の煮汁等がふきこぼれて器具箱体内に落下しても器具外にこぼれることなく、キッチンのカウンター内の掃除もなくなり、使い勝手の良い組込み式ガス調理器が実現できる。
【００１２】
【発明の実施の形態】
請求項１記載の発明は、器具箱体の上面全体を被うような天板と、その一部にコンロバーナと鍋等を載置する五徳と、前記コンロバーナの周囲に配設したシルウケ皿と、ガスコックを開閉する点・消火ツマミと、前記器具箱体内にガスを開閉するガスコックと、ガスを供給するノズルを備え、天板下面側にあるノズルのガス供給口付近とコンロバーナのバーナキャップ付近に空気の供給が可能なように、天板の一部に天板開口部を備え、前記天板開口部は前記コンロバーナを配設する天板の開口部とは異なる開口部とし、前記天板開口部に天板上面側に突出したふたを嵌合搭載し、前記ふたの側面または上面に空気導入孔を設けることにより、組込み式ガス調理器では、キッチンのカウンターの庫内側に完全燃焼を行うための必要な空気を庫内の外側から取り入れる空気孔を設ける必要がなく、器具メーカーの取扱説明書、工事説明書に空気とり入れ用の孔の工事を行うよう記載も必要としない。したがって、カウンター庫内側に燃焼用空気孔がなくガス調理器を使用されても、空気不足による不完全燃焼の心配がなく器具本体の温度も異常に高くなるということもなく、工事性の優れた組込み式ガス調理器が実現できる。
【００１３】
また、器具箱体の底面部や側面部に吸気口がないので、コンロバーナで調理中の煮汁等がふきこぼれて器具内に落下しても器具外にこぼれることなく、カウンター内の掃除もなくなり、使い勝手の良い組込み式ガス調理器が実現できる。
【００１４】
また、器具箱体の底面部や側面部に吸気口がないので、器具箱体に吸気口のプレス加工する必要がなく金型費投資も少なく、安価で加工しやすい組込み式ガス調理器が実現できる。
【００１５】
請求項２に記載の発明は、請求項１に記載のふたの高さを、鍋等を載置する五徳と同一にし、五徳の上面と同一平面に構成することにより五徳に載置される鍋を水平に移動することによりふた上面に容易に鍋を載置することが可能なガス調理器を実現することができる。
【００１６】
請求項３に記載の発明は、請求項１に記載のふたの空気導入孔を、器具の後面側に設けることにより鍋からこぼれたふきこぼれが容易にふたの空気導入孔に到達しにくくなり、器具内へのふきこぼれの浸入しにくい清潔なガス調理器を実現することができる。また空気導入孔が見えにくいため美観を損なうこともない。
【００１７】
請求項４に記載の発明は、請求項１に記載のふたを天板下面に突出させたことにより、形状を簡略化することができ金型費投資も少なく、安価で加工しやすいガス調理器を実現できる。また上方へのふたの突き出しがない為器具の美観を損なうこともない。
【００１８】
請求項５に記載の発明は、請求項１〜４に記載のふたの空気導入孔から器具箱体内でガスを供給するノズルの近辺まで空気を誘導するガイドケースを設けた構成とすることにより、燃焼に必要な新鮮な空気をノズル近傍まで確実に導入することが可能となり不完全燃焼等の異常を回避することが実現できる。
【００１９】
また、近年増加しつつある天板材質がガラスの場合、器具箱体内に流入する燃焼に必要な空気が天板表裏面上を流れるため、バーナ燃焼による天板温度の上昇をも抑制することを実現することができる。
【００２０】
また調理中の煮こぼれ等が前記ふたより器具箱体内へ流れ込んだ場合でも煮こぼれをガイドケースにより受けられるため器具箱体底部にまで煮こぼれが到達しないガス調理器を実現することができる。
【００２１】
請求項６に記載の発明は、請求項１〜４に記載のふたの空気導入孔から、器具箱体内でコンロバーナのバーナキャップ付近まで空気を誘導するガイドケースを設けることによりシルウケ皿内径とコンロバーナ外径とのすきまを介してバーナキャップの炎孔から噴出した混合ガスに燃焼に必要な新鮮な２次空気を確実に供給することが可能となり不完全燃焼等の異常を回避することが実現できる。
【００２２】
請求項７に記載の発明は、請求項１〜４に記載のふたは天板に設けた開口部とはゴムなどのシールパッキン材を介在させて嵌合する構成とすることにより、天板端部を保護することができるため、ふたと天板開口部の端部との接触による傷や打恨の発生を回避することが可能である。また近年前記天板材質にはガラスが使用される場合も多く天板開口部はガラスに穴あけ加工が必要であり前記パッキン材によりこの穴のガラス端部を保護することができ、ガラスの割れ、亀裂を防ぐことが可能なガラス天板が実現できる。
【００２３】
請求項８に記載の発明は、請求項１〜４記載のふたを載置する天板開口部の位置をコンロバーナのエアダンパー近傍にして、前記エアダンパー調整を前記天板開口部より作動させる構成とすることにより  燃焼用空気の導入が容易となるのみならず前記ふたを天板から外した場合  天板開口部よりコンロバーナに取り付けられた燃焼用１次空気調節用エアダンパーを天板を取り外すことことなく容易に調整することができ、また天板開口部よりノズルの交換も可能なガス調理器をを実現することができる。
【００２４】
【実施例】
以下、本発明の実施例について図１〜５を参照して説明する。
【００２５】
（実施例１）
図１は、本発明の実施例における組込み式ガス調理器の断面図、図２は同ふたの斜視図、図３は同ふたの構成断面図、図４は同コンロバーナと天板とガイドケースの平面図とガイドケースの斜視図、図５は同ガス調理器器がカウンターに装着する場合の状態図である。
【００２６】
図１と図２において、天板１の上面には鍋１２を載置する五徳１３およびコンロバーナ９の周囲に配置し、鍋１２からのふきこぼれを受水するシルウケ皿３が配置される。点消火ツマミ１４を備えたガスコック１１、ガスパイプ１９、コンロバーナ９はカウンター１６の切り込み部端面にフランジ等により載置する器具箱体６に設けられる。図５においてこの前記器具箱体６を覆うように天板１と構成されるガス調理器はカウンター１６に組込み設置されている。一般的にカウンター１６は前面に扉を有し、周囲はほぼ密閉された空間の箱状に製作されている。
【００２７】
従来の組込み式ガス調理器は、前記カウンターのユーザーから見えにくい部分等に燃焼に必要な空気のカウンター吸気口１７を壁面の一部にドリル等を使用して取扱説明書や工事説明書に記載された所定の孔あけ加工を行う必要があった。
【００２８】
図１において器具箱体６上にはガスと空気を混合するコンロバーナ９が載置されガスコック１１には天板上面に点消火ツマミ１４が設けられる。ガスコック１１にはガスパイプ１９を設けノズル１０へ接続される。ノズル１０はコンロバーナ９の１次空気導入部付近に設置する。１次空気導入部には調節可能なエアダンパをビス等により固定する。コンロバーナ９にはバーナキャップ５を載置し炎孔を形成する。前記エアダンパーの近傍の天板１にはプレス加工やドリル等により天板開口部８をあける。この前記天板開口部８の端部にはシリコン系のパッキン７をコの字型に形成し天板端面を覆う構成とする。この前記パッキン７の上面に上面や側面にプレス加工等で空気導入孔１５を加工したふた２を載置する。前記ふた２は図２に示すように器具後方側に空気導入孔１５を設ける。また燃焼に必要な空気が更に必要であるのであれば上面にも空気導入孔１５を設ける。前記ふた２の下端の一部を天板開口部８に設置したパッキン７に勘合させ前後左右の位置決めを行い、このふた２の高さは天板１近傍に載置される五徳１３と同一か同等寸法の高さで構成される。なおふた２に別部品を溶接等により鍋置きを設けてコンロバーナのない五徳を形成することも可能である。
【００２９】
コンロバーナ９の１次空気取り込み口に設けたエアダンパー１８は燃焼用の混合ガスの空燃比率を調節するもので、またガス種によりノズル１０やエアダンパー１８を取り替える必要がある。このエアダンパー１８を含むコンロバーナ９の１次空気取り込み口を前記ふた２の下面近傍に設置する。更にこのふた２から取り入れられた新鮮な空気を導き、コンロバーナ９、ノズル１０部を天板１の下面で覆い尽くしたガイドケース４を設ける。この前記ガイドケース４は天板１下面に閉塞された空間を形成してすきま２０およびふた２に設けた空気導入孔１５のみ新鮮な空気が流出入できる構成とする。図６に示すような従来の組込み式ガス調理器の器具箱体６の底面部や側面部に設けていた燃焼に必要な空気を供給する箱体底穴２１は設けていない為燃焼に必要な空気は空気導入孔１５より供給される。
【００３０】
次に動作、作用について説明すると点消火ツマミ１４によりガスコック１１を開くと、ノズル１０から噴出されたガスは、器具箱体６内にある空気を一次空気として共にコンロバーナ９の内部へと入り、バーナキャップ５からガスと空気の混合気として噴出され点火源により点火された後、燃焼が継続する。燃焼には燃料と空気が必要であり、燃焼に必要な空気は器具箱体６に外部からとり入れる箱体底穴２１がないため、ふた２に設けた空気導入孔１５から器具箱体６内へと流入する。流入した新鮮な空気はノズル１０から噴出されるガスと共に一次空気としてコンロバーナ９に入るものと、バーナキャップ５の燃焼により発生する上昇気流によりコンロバーナ９の外径とシルウケ皿３の内径とのすきま２０を通過する燃焼用二次空気として分流される。このような状態が継続して安定した良好な燃焼を確保する。
【００３１】
五徳の上面と同一平面に構成されたふた２により五徳に載置される鍋を水平に移動することによりふた上面に容易に鍋を載置することが可能となる。また大きな過大鍋等を五徳１３に載置した場合でもふた２の上面の一部に鍋１２を載置することができ安定した鍋１２の載置が可能となる。前記ふた２はプレス成型や板金曲げ加工等により箱状に形成しその箱状の後ろ側面に設けられた複数個の空気導入孔１５はユーザーからは見えない為  器具の美観を損ねない。また鍋１２からこぼれた煮汁は側面にあけられた穴であるため容易にふた２の空気導入孔１５に到達しにくい。よって器具内への煮汁が浸入しにくい清潔なガス調理器を実現することができる。
【００３２】
ふた２が勘合する天板開口部８の下面よりプレス板金等で形成されるガイドケース４を設け、天板１の下面にコンロバーナ９のエアダンパー１８、ノズル１０を包み込む空間を形成する。この前記ガイドケース４は燃焼に必要な新鮮な空気をふた２に設けた空気導入孔１５よりノズル１０近傍まで確実に導入することが可能である。なおこのガイドケース４は図４に示すようにコンロバーナ９のエアダンパ―１８のみならずコンロバーナ９全体を包み込むことによりふた２に設けた空気導入孔１５から導入された新鮮な空気をシルウケ皿３の内径とコンロバーナ９外径とのすきま２０を介してバーナキャップ５の炎孔から噴出した混合ガスの燃焼にも供給可能となり不完全燃焼等の異常を回避することが実現できる。
【００３３】
また調理中の煮こぼれ等が前記ふた２より器具内へ流れ込んだ場合でも煮汁をガイドケース４により受けられるため器具箱体６の底部にまで煮こぼれが到達しないガス調理器を実現することができる。また、近年増加しつつある天板１材質がガラスの場合やフッ素塗装を施した場合には、一般の金属製等の天板より耐熱性を要求される。
【００３４】
天板１はコンロバーナ９の燃焼により高温となるが本構成によれば器具内に流入する燃焼に必要な空気が天板表裏面上を流れるため、バーナ燃焼によって高温となった天板１の温度上昇を抑制することが可能である。
【００３５】
図１において天板１に設けた天板開口部８にふた２を勘合させる構成としているが天板開口部８の全周にはシリコン系ゴムなどで形成されるパッキン７をコの字型にリング状に形成しそれを開口部８の端面に介在させてその上にふた２を勘合する構成とすることにより天板１の端部をふた２より保護することができるためふたと天板開口部８の端部との接触による傷や打恨の発生を回避することが可能である。また近年前記天板材質にはガラス等の割れやすい材質のものが使用される場合も多く天板開口部８はガラスに穴あけ加工が必要であり前記パッキン７によりこの穴のガラス端部を保護することができ、ガラスの割れ、亀裂の発生しにくい天板１を提供可能である。またこのパッキン７は耐水性を有しており、天板１より高く土手となるため、鍋１２等からふきこぼれた煮汁が天板１を伝って天板開口部８より器具内部に浸入するのを防止できる。
【００３６】
前記ふた２の別の実施の形態として図３に示すように天板下面にプレス加工や板金曲げ加工で凹状に突出させた形状としその内側面部に空気導入孔１５を設け、ふた２の端部をフランジとして天板１の天板開口部８に勘合させる構成により形状を簡略化することができ金型費投資も少なく、安価で加工しやすいふた２の提供が可能となる。
【００３７】
本構成によればふた２の内側面に空気導入孔１５を設けるため空気導入孔１５の面積を確保しやすく穴がユーザーから見えにくく、また器具上方へのふた２の突き出しがない為器具の美観を損なうこともない。
【００３８】
図４は天板開口部の位置、コンロバーナ９の配置およびガイドケースの詳細を示した図である。ふた２を載置する天板開口部８の位置は天板１の中央から後方へ配置しコンロバーナ９の１次空気導入口であるエアダンパー１８の近傍に配置する。ガスコック１１から供給されるガスはＬＰＧガスや都市ガス、天然ガス等地域、ガス会社により種類が異なり、またその数も少なくない。従来よりこの種のガス調理器のガス種転換をする場合は天板１をはずし器具の分解が必要でありメンテナンスに時間がかかる構成であった。しかし図４に示す本構成ではふた２を上方に取り外すことにより前記エアダンパー１８が天板開口部８より容易に確認することができまた容易にエアダンパー１８やノズル１０を交換・調整することができ、天板１を取り外すことことなくメンテナンス性にすぐれたガス調理器を実現することができる。なおこの天板開口部８とコンロバーナ９の１次空気吸い込み口が近傍にあるため、燃焼に必要な新鮮な空気を器具上面より容易に供給可能となる。
【００３９】
【発明の効果】
以上のように、本発明によれば、燃焼に必要な空気を天板の一部に空気供給口として設けているので、器具箱体の底面、側面に空気孔を設ける必要がなく、さらに、キッチンのカウンターの庫内側に完全燃焼を行うための必要な空気を庫内の外側から取り入れる吸気口をあける必要もないので、空気孔をあける工事が不要でありながら、良好な燃焼状態が継続できる。
【００４０】
併せて、器具箱体の底面部に空気孔がないので、コンロバーナで調理中の煮汁等がふきこぼれて器具内に落下しても器具外にこぼれることなく、カウンター台内の掃除もなくなり、使い勝手の良く美観のすぐれた組込み式ガス調理器が実現できる。
【図面の簡単な説明】
【図１】本発明の第一の実施例における組込み式ガス調理器の断面図
【図２】本発明の実施例における組込み式ガス調理器のふたの斜視図
【図３】本発明の実施例における同ふたの構成断面図
【図４】本発明の実施例におけるコンロバーナと天板とガイドケースの平面図とガイドケースの斜視図
【図５】本発明の実施例における組込み式ガス調理器がカウンターに装着される場合の状態図
【図６】従来の組込み式ガス調理器の断面図
【符号の説明】
１  天板
２  ふた
３  シルウケ皿
４  ガイドケース
５  バーナキャップ
６  器具箱体
７  パッキン
８  天板開口部
９  コンロバーナ
１０  ノズル
１１  ガスコック
１３  五徳
１４  点消火ツマミ
１５  空気導入孔
【図１】
2004316972.tif 000003
【図２】
2004316972.tif 000004
【図３】
2004316972.tif 000005
【図４】
2004316972.tif 000006
【図５】
2004316972.tif 000007
【図６】
2004316972.tif 000008